(57)【特許請求の範囲】
【請求項１】
障子を構成し框組みされた框体の内周側の領域を閉塞する閉塞面材と対面させて設けられ前記閉塞面材と異なる付加面材と、
前記付加面材の所定の縁部を収容する収容部を備え、前記框体の内周側の領域を区画して前記障子に固定される区画部材と、
前記付加面材の前記所定の縁部と異なる他の縁部に固定され、前記区画部材と対向して前記付加面材を保持する保持部材と、
を有し、
前記框体は上下の横框と左右の縦框とが框組みされており、
前記区画部材は、前記上下の横框間または前記左右の縦框間に並べて配置されて前記閉塞面材に固定され、
前記付加面材が固定された前記保持部材は、前記区画部材と並べて配置された前記上下の横框の一方または前記左右の縦框の一方と各々の長手方向が互いに沿うように隣接させて配置され、
前記保持部材が固定された前記付加面材は、スライド自在に前記収容部に収容されており、
前記保持部材は、当該保持部材が隣接された前記横框または前記縦框の長手方向と交差し且つ前記付加面材に沿う方向に貫通するビスが螺合されることにより、前記横框側または前記縦框側に引き寄せられて固定されることを特徴とする面材付加ユニット。
【請求項２】
請求項１に記載の面材付加ユニットであって、
前記付加面材は弾性を有しており、弾性変形されて前記所定の縁部が前記収容部に収容され、弾性変形が戻されて前記閉塞面材と対面するとともに前記保持部材が前記横框または前記縦框と隣接されることを特徴とする面材付加ユニット。
【請求項３】
請求項１に記載の面材付加ユニットであって、
前記収容部は、前記付加面材の前記所定の縁部が入り込んで当該付加面材の回動を許容する空隙を有し、
前記付加面材は、前記他の縁部が前記所定の縁部より前記閉塞面材から離れて位置する姿勢にて前記所定の縁部が前記収容部に挿入された後に前記他の縁部が前記閉塞面材側に移動するように前記付加面材が回動されて前記閉塞面材と対面するとともに前記保持部材が前記横框または前記縦框と隣接されることを特徴とする面材付加ユニット。
【請求項４】
請求項１乃至請求項３のいずれかに記載の面材付加ユニットが取り付けられていることを特徴とする障子。
【請求項５】
請求項４に記載の障子と、
前記障子が取り付けられる枠体と、を備えたことを特徴とする建具。
【発明の詳細な説明】
【技術分野】
【０００１】
本発明は、面材を備えた障子に、前記面材と対面させて他の面材を設ける面材付加ユニット、面材付加ユニットが取り付けられた障子、及び、建具に関する。
【背景技術】
【０００２】
框組みされた框体の内周側に面材を備えた障子及びその障子を備えた建具は知られている。このような障子の意匠性を向上させることが望まれている。また、障子が第１の建具面材としての樹脂パネルと、第２の建具面材としての面材ユニットを備え、面材ユニットが備える左右のユニット縦框の一方の側に意匠パネルが両面テープにて固定され、他方の側に樹脂パネルが両面テープにて固定された建具が知られている（例えば、特許文献１参照)。
【先行技術文献】
【特許文献】
【０００３】
【特許文献１】特開２０１０−２２２８６３号公報
【発明の概要】
【発明が解決しようとする課題】
【０００４】
上記従来の建具は、意匠パネルと樹脂パネルとがいずれも両面テープにて縦框に固定されているので、パネルが割れたり損傷や劣化が生じた場合には、パネルの交換が煩雑であるという課題がある。また、一度取り付けると、取り外せないので内部が清掃し難くメンテナンス性が悪いという課題がある。
【０００５】
本発明は、かかる課題に鑑みてなされたものであり、その目的とするところは、障子が予め備えられている面材と異なる他の面材を取り外し可能に容易に備えることができる面材付加ユニット、この面材付加ユニットが取り付けられた障子、及び、この障子を備えた建具を提供することにある。
【課題を解決するための手段】
【０００６】
かかる目的を達成するために本発明の面材付加ユニットは、障子を構成し框組みされた框体の内周側の領域を閉塞する閉塞面材と対面させて設けられ前記閉塞面材と異なる付加面材と、前記付加面材の所定の縁部を収容する収容部を備え、前記框体の内周側の領域を区画して前記障子に固定される区画部材と、前記付加面材の前記所定の縁部と異なる他の縁部に固定され、前記区画部材と対向して前記付加面材を保持する保持部材と、を有し、前記框体は上下の横框と左右の縦框とが框組みされており、前記区画部材は、前記上下の横框間または前記左右の縦框間に並べて配置されて前記閉塞面材に固定され、前記付加面材が固定された前記保持部材は、前記区画部材と並べて配置された前記上下の横框の一方または前記左右の縦框の一方と各々の長手方向が互いに沿うように隣接させて配置され、前記保持部材が固定された前記付加面材は、スライド自在に前記収容部に収容されており、前記保持部材は、当該保持部材が隣接された前記横框または前記縦框の長手方向と交差し且つ前記付加面材に沿う方向に貫通するビスが螺合されることにより、前記横框側または前記縦框側に引き寄せられて固定されることを特徴とする面材付加ユニットである。
【０００７】
このような面材付加ユニットによれば、所定の縁部と異なる他の縁部が保持部材に固定された付加面材の所定の縁部は、框体の内周側の領域を区画し障子に固定される区画部材に収容され、付加面材の他の縁部は保持部材が框体により着脱自在な固定具にて固定されるので、予め備えられている閉塞面材とは異なる付加面材を取り外し可能に障子に容易に設けることが可能である。
【０００８】
また、框体の内周側の領域を区画し、横框間または縦框間に並べて配置される区画部材が閉塞面材に固定されるので、区画部材を框体の内周側の領域を区画する位置に容易に固定することが可能である。また、区画部材は、横框間または縦框間に並べて配置され、保持部材は区画部材と並べて配置された横框の一方または縦框の一方と区画部材との間にて、前記一方の横框または前記一方の縦框に隣接させて配置されるので、区画部材にて区画された、上下方向または左右方向のいずれかの領域を付加面材にて覆うことが可能である。
【０００９】
また、保持部材が、隣接された横框または縦框を付加面材に沿う方向に貫通するビスが螺合されることにより、横框側または縦框側に引き寄せられると、保持部材に固定された付加面材の所定の縁部が区画部材の収容部内を移動するように付加面材と保持部材とが付加面材に沿う方向にスライドし、保持部材が隣接された横框または縦框に当接される。このため、横框または縦框と保持部材との間を閉塞して付加面材を設けることが可能である。このとき、ビスは付加面材に沿う方向に貫通して保持部材に螺合されるので、ビスが露出することなく美観に優れた障子を形成することが可能である。
【００１０】
かかる面材付加ユニットであって、前記付加面材は弾性を有しており、弾性変形されて前記所定の縁部が前記収容部に収容され、弾性変形が戻されて前記閉塞面材と対面するとともに前記保持部材が前記横框または前記縦框と隣接されることが望ましい。  
このような面材付加ユニットによれば、付加面材が弾性変形するので、付加面材を撓ませて付加面材の所定の縁部を収容部に容易に収容させ、撓みを戻すことにより保持部材を横框または縦框と容易に隣接させることが可能である。このため、収容部には特段の加工を施すことなく、容易に付加面材を取り付けることが可能な面材付加ユニットを提供することが可能である。
【００１１】
かかる面材付加ユニットであって、前記収容部は、前記付加面材の前記所定の縁部が入り込んで当該付加面材の回動を許容する空隙を有し、前記付加面材は、前記他の縁部が前記所定の縁部より前記閉塞面材から離れて位置する姿勢にて前記所定の縁部が前記収容部に挿入された後に前記他の縁部が前記閉塞面材側に移動するように前記付加面材が回動されて前記閉塞面材と対面するとともに前記保持部材が前記横框または前記縦框と隣接されることとしてもよい。  
このような面材付加ユニットによれば、付加面材の所定の縁部を収容する収容部は、所定の縁部が入り込んで付加面材の回動を許容する空隙を有しているので、付加面材の他の縁部が所定の縁部より閉塞面材から離れて位置する姿勢にて所定の縁部を収容部に挿入させた後に他の縁部が閉塞面材側に移動するように付加面材を回動させて保持部材を横框または縦框と隣接させることが可能である。このため、弾性変形し難い付加面材を閉塞面材と対面する位置に取り付けることが可能である。
【００１２】
また、前記面材付加ユニットが取り付けられていることを特徴とする障子である。  
このような障子によれば、閉塞面材と異なる付加面材を容易に着脱することが可能な障子を提供することが可能である。
【００１３】
また、前記障子と、前記障子が取り付けられる枠体と、を備えたことを特徴とする建具である。  
このような建具によれば、閉塞面材と異なる付加面材を容易に着脱することが可能な障子を備えた建具を提供することが可能である。
【発明の効果】
【００１４】
本発明によれば、障子が予め備えられている面材と異なる他の面材を取り外し可能に容易に備えることができる面材付加ユニット、この面材付加ユニットが取り付けられた障子、及び、この障子を備えた建具を提供することが可能である。
【図面の簡単な説明】
【００１５】
【図１】本実施形態に係る面材付加ユニットを備えた障子を有する建具の外観図である。
【図２】本実施形態に係る面材付加ユニットを備えた障子を有する建具の縦断面図である。
【図３】本実施形態に係る面材付加ユニットを備えた障子を有する建具の横断面である。
【図４】面材付加ユニットの取付方法を説明するための図である。
【図５】面材付加ユニットの変形例を示す図である。
【発明を実施するための形態】
【００１６】
以下、本発明の一実施形態に係る建具について図面を参照して説明する。  
本実施形態の建具１は、浴室と脱衣室とを仕切る障子としての浴室ドア２０を備えた浴室用の建具を例に挙げて説明する。
【００１７】
以下の説明においては、建物等に取り付けられた状態の浴室用の建具１を脱衣室側から見たときに、上下となる方向を上下方向、左右となる方向を左右方向または見付け方向、浴室の内外方向である奥行き方向を見込み方向として示す。また、浴室用の建具１が備える各部材は、単体として説明する場合であっても、建物等に取り付けられた状態で上下方向、見付け方向、見込み方向等となる方向にて方向を特定して説明する。
【００１８】
本実施形態の建具１は、図１に示すように、上下の横枠としての上枠１１及び下枠１２と左右の縦枠としての左縦枠１３及び右縦枠１４とが枠組みされた枠体１０と、一方の縦枠側としての左縦枠１３側にて回動自在に支持され、枠体１０にて形成される開口を回動することにより開閉可能な障子としての浴室ドア２０と、を有している。上枠１１、下枠１２、左縦枠１３、右縦枠１４は、いずれも押出成形部材であり、左縦枠１３と右縦枠１４とは、同一部材が、左右が反転した対称形状となるように配置されて枠組みされている。
【００１９】
浴室ドア２０は、左縦枠１３側にてそれぞれ、上枠１１と下枠１２とに回動自在に支持され、閉じた状態にて枠体１０にて形成される開口を閉塞している。
【００２０】
浴室ドア２０は、押出成形部材である上框２１、下框２２、及び、左右の縦框２３、２４が矩形状に框組みされた框体２０ａと、框体２０ａの内周側の領域を閉塞すべく予め備えられている閉塞面材２５と、閉塞面材２５の脱衣室側に取り付けられた面材付加ユニット３０と、を有している。
【００２１】
框体２０ａは、左右の両側にそれぞれ配置される左右の縦框２３、２４の間に、上框２１と下框２２とが、それらの小口が左右の縦框２３、２４の側面に当接されてビスにて固定されている。  
框体２０ａの内周側には、図２に示すように、閉塞面材２５が浴室ドア２０の厚み方向において浴室側に偏らせた位置に設けられており、面材付加ユニット３０は、閉塞面材２５と異なる付加面材としてのガラス板３２が閉塞面材２５と対面するように取り付けられている。
【００２２】
閉塞面材２５は、矩形状に形成され透光性を有する、例えばガラス板や樹脂板であり、閉塞面材２５の周縁部は、框体２０ａが有する上框２１、下框２２、左右の縦框２３、２４の浴室側に設けられ、内周側に向かって開放されて外周側に窪む溝状に形成された面材収容部２１ａ、２２ａ、２３ａ、２４ａに収容されて框体２０ａに保持されている。また、本実施形態の閉塞面材２５は透光性を有するため、閉塞面材２５の脱衣室側の面であって面材付加ユニット３０が取り付けられる領域に、フィルム材２５ａが貼り付けられている。このフィルム材２５ａは、面材付加ユニット３０が有するガラス板３２の裏面や閉塞面材２５とガラス板３２との間が浴室側から透視できないようにするためのフィルム材であるため、閉塞面材２５より脱衣室側が見えにくいように着色または模様が付されている。
【００２３】
面材付加ユニット３０は、図３に示すように、閉塞面材２５と対面させて配置される矩形状をなすガラス板３２と、ガラス板３２の一辺に相当する縁部（所定の縁部）３２ａを収容して浴室ドア２０の閉塞面材２５に固定される区画部材３３と、ガラス板３２の前記一辺の対辺をなす縁部（他の縁部）３２ｂに固定された保持部材３４と、を有している。
【００２４】
ガラス板３２、区画部材３３、保持部材３４はいずれも、框体２０ａの上框２１の下面と下框２２の上面との間隔とほぼ同じ長さを有している。また、区画部材３３、保持部材３４の見込み方向の幅は、框体２０ａに設けられた閉塞面材２５の脱衣室側の面と框体２０ａの脱衣室側の面との距離より狭く形成されている。このため、面材ユニット３０が取り付けられても、ガラス板３２の脱衣室側の面は框体２０ａの脱衣室側の面より浴室側に位置している。
【００２５】
区画部材３３と保持部材３４とは、同一の押出成形部材が、左右が反転した対称形状となるように配置される。そして、区画部材３３と保持部材３４とは、面材付加ユニット３０が取り付けられた状態にて、線対称となるように配置される。以下の説明では、区画部材３３と保持部材３４とが互いに対向する側を内側とし、反対側を外側として示す。
【００２６】
本実施形態においては、面材付加ユニット３０が、脱衣室側から見たときに浴室ドア２０の左側、すなわち左側の縦框２３である吊り元框に当接させて取り付けられている例について説明する。
【００２７】
区画部材３３と保持部材３４とは、閉塞面材２５と対面する浴室側壁部３３ａ、３４ａと、浴室側壁部３３ａ、３４ａの見付け方向における一方側の縁から脱衣室側に延出され、面材付加ユニット３０が取り付けられた状態にて互いに対向する対向壁部３３ｂ、３４ｂと、対向壁部３３ｂ、３４ｂの脱衣室側の縁から外側に向かって延出され浴室側壁部３３ａ、３４ａと対面する脱衣室側壁部３３ｃ、３４ｃと、脱衣室側壁部３３ｃ、３４ｃと繋がり外側に向かって浴室側に傾斜する傾斜部３３ｄ、３４ｄと、浴室側壁部３３ａ、３４ａの見付け方向における他方側の縁から延出され脱衣室側壁部３３ｃ、３４ｃより脱衣室側に突出された外壁部３３ｅ、３４ｅと、外壁部３３ｅ、３４ｅの脱衣室側の縁から互いに対向する側に突出され、ガラス板３２が係合される係合片３３ｆ、３４ｆと、傾斜部３３ｄ、３４ｄの外側の端と外壁部３３ｅ、３４ｅとを連結し浴室側壁部３３ａ、３４ａと対面する連結壁部３３ｇ、３４ｇとを有している。また、外壁部３３ｅ、３４ｅには、着脱自在な固定具としてのビス５０が螺合されるビス孔３４ｊが形成されている。
【００２８】
すなわち、区画部材３３と保持部材３４とは、浴室側壁部３３ａ、３４ａ、対向壁部３３ｂ、３４ｂ、脱衣室側壁部３３ｃ、３４ｃ、傾斜部３３ｄ、３４ｄ、外壁部３３ｅ、３４ｅ、連結壁部３３ｇ、３４ｇにより上下方向に連通する中空部が形成された部材であり、傾斜部３３ｄ、３４ｄ、外壁部３３ｅ、３４ｅ、係合片３３ｆ、３４ｆ、連結壁部３３ｇ、３４ｇにて形成される凹部がガラス板３２の縁部３２ａ、３２ｂを収容する収容部３３ｈ、３４ｈをなしている。この収容部３３ｈ、３４ｈは、単にガラス板３２が収容される部位だけでなく、脱衣室側壁部３３ｃ、３４ｃより浴室側に、傾斜部３３ｄ、３４ｄと連結壁部３３ｇ、３４ｇとにより空隙３３ｉ、３４ｉが形成されている。このため、ガラス板３２の右側の縁部３２ａが閉塞面材２５と平行に収容部３３ｈに挿入されなくとも、ガラス板３２が閉塞面材２５に対して傾いた状態で縁部３２ａを収容部３３ｈの浴室側の空隙３３ｉに挿入した後に、ガラス板３２を左側の縁部３２ｂが浴室側に移動するように回動させることにより、ガラス板３２を閉塞面材２５と平行に配置させることができるように構成されている。
【００２９】
面材付加ユニット３０の取付方法は、まず、保持部材３４を、框体２０ａの内周側の領域にて覆いたい領域に相当するサイズに形成されたガラス板３２の左の縦框２３側に配置される縁部３２ｂに固定してユニット化する。このとき、ガラス板３２の左の縦框２３側に配置される縁部３２ｂを、保持部材３４の収容部３４ｈに収容するとともに、ガラス板３２の縁部３２ｂが係合片３４ｆの浴室側に位置するように配置し、脱衣室側壁部３４ｃと、脱衣室側壁部３４ｃと対面するガラス板３２とを両面テープや接着剤５１にて接着しておく。また、保持部材３４の浴室側壁部３４ａには緩衝材５２を設けておく。また、閉塞面材２５には、ガラス板３２にて覆いたい領域に、必要に応じてフィルム材２５ａを貼り付けておく。
【００３０】
次に、図４に示すように、区画部材３３を框体２０ａの内周側の領域にて覆いたい領域を区画するように、位置決め治具５５を用いて左右の縦框２３、２４間に並べて配置し、区画部材３３の浴室側壁部３３ａと閉塞面材２５とを両面テープや接着剤５１にて接着する。本実施形態では、区画部材３３より左側の領域を覆うので、収容部３３ｈが左側に向かって開放されるように固定する。このとき、区画部材３３の長さは、上框２１と下框２２との間隔とほぼ等しく、区画部材３３の見込み方向の幅は、框体２０ａに設けられた閉塞面材２５の脱衣室側の面と框体２０ａの脱衣室側の面との距離より狭く形成されているので、区画部材３３の小口は外部に露出しない。
【００３１】
次に、ユニット化した保持部材３４とガラス板３２とを取り付ける。具体的には、ユニット化した保持部材３４とガラス板３２とを、保持部材３４側を左側に位置させるとともに、ガラス板３２の保持部材３４側の縁部３２ｂが、反対側の縁部３２ａより閉塞面材２５から離れて位置する姿勢にて、保持部材３４と反対側（右側）の縁部３２ａを区画部材３３の収容部３３ｈに挿入する。挿入されたガラス板３２の右側の縁部３２ａは、収容部３３ｈの浴室側、すなわち傾斜部３３ｄ側の空隙３３ｉに入り込み、ガラス板３２が回転されることにより収容部３３ｈ内にて保持部材３４と反対側の縁部３２ａが脱衣室側に移動して、ガラス板３２が閉塞面材２５とほぼ平行に配置される。このとき、区画部材３３の脱衣室側壁部３３ｃとガラス板３２との間には緩衝材５２を設けておく。
【００３２】
ガラス板３２が回動されて閉塞面材２５とほぼ平行に位置すると、ガラス板３２に固定されている保持部材３４は、左側の縦框２３と隣接する位置に配置される。このとき、ガラス板３２の右側の縁部３２ａは区画部材３３と固定されていないので、ユニット化された保持部材３４とガラス板３２とは見付け方向にスライド可能な状態をなしている。
【００３３】
そして、保持部材３４が左側の縦框２３と隣接された状態にて、左の縦框２３の左側からガラス板３２に沿う方向に左の縦框２３を貫通させたビス５０を、保持部材３４のビス孔３４ｊに螺合して、保持部材３４を左側の縦框２３に固定する。このとき、見付け方向、すなわちガラス板３２に沿う方向にスライド可能な、ユニット化された保持部材３４とガラス板３２とは、ビス５０が螺合されることにより左の縦框２３側に引き寄せられて固定される。
【００３４】
このようにして、面材付加ユニット３０を備えた浴室ドア２０が組み立てられ、組み立てられた浴室ドア２０が、枠体１０に回動自在に取り付けられる。
【００３５】
本実施形態の面材付加ユニット３０によれば、保持部材３４に固定されたガラス板３２の、保持部材３４が固定された縁部３２ｂと反対側の縁部３２ａは、框体２０ａの内周側の領域を区画し閉塞面材２５に固定される区画部材３３に収容され、ガラス板３２の保持部材３４が固定された縁部３２ｂは保持部材３４が框体２０ａによりビス５０にて固定されるので、閉塞面材２５とは異なるガラス板３２を取り外し可能に浴室ドア２０に容易に設けることが可能である。
【００３６】
また、框体２０ａの内周側の領域を区画し、左右の縦框２３、２４間に、互いに間隔を隔てて並べて配置される区画部材３３が閉塞面材２５に接着されるので、区画部材３３を框体２０ａの内周側の領域を区画する位置に容易に固定することが可能である。また、区画部材３３は、左右の縦框２３、２４間に、互いに間隔を隔てて並べて配置され、保持部材３４は区画部材３３と並べて配置された左の縦框２３と区画部材３３との間にて、左の縦框２３に隣接させて配置されるので、区画部材３３にて区画された、左右方向のいずれかの領域をガラス板３２にて覆うことが可能である。
【００３７】
また、保持部材３４が、隣接された左の縦框２３をガラス板３２に沿う方向に貫通するビス５０が螺合されることにより、左の縦框２３側に引き寄せられると、保持部材３４に固定されたガラス板３２の右側の縁部３２ａが区画部材３３の収容部３３ｈ内を移動するようにユニット化されたガラス板３２と保持部材３４とがガラス板３２に沿う方向にスライドし、保持部材３４が隣接された左側の縦框２３に当接される。このため、左側の縦框２３と保持部材３４との間を閉塞してガラス板３２を設けることが可能である。このとき、ビス５０はガラス板３２に沿う方向に貫通して保持部材３４に螺合されるので、ビス５０が外部に露出することなく美観に優れた浴室ドア２０を形成することが可能である。
【００３８】
また、ガラス板３２の右側の縁部３２ａを収容する区画部材３３の収容部３３ｈは、右側の縁部３２ａが入り込んでガラス板３２の回動を許容する空隙３３ｉを有しているので、ガラス板３２の左側の縁部３２ｂが右側の縁部３２ａより閉塞面材２５から離れて位置する姿勢にて右側の縁部３２ａを収容部３３ｈに挿入させて回動させ、保持部材３４を左の縦框２３と隣接させることが可能である。このため、弾性変形し難いガラス板３２を付加面材として用い、閉塞面材２５と対面する位置に取り付けることが可能である。
【００３９】
以上の方法により組み立てた障子としての浴室ドア２０は、閉塞面材２５と異なるガラス板３２を備え、ガラス板３２を容易に着脱することが可能である。
【００４０】
また、上記のように閉塞面材２５と異なるガラス板３２を備えた浴室ドア２０を有し、ガラス板３２を容易に着脱することが可能な建具１を提供することが可能である。
【００４１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４２】
例えば、上記実施形態においては、左右の縦框２３、２４間に区画部材３３を並べて配置して左右に領域を区画した例につい説明したが、上下の横框２１、２２間に区画部材３３を並べて配置して上下に領域を区画してもよい。また、上記実施形態においては、区画部材３３を左右の縦框間に間隔を隔てて並べて配置し、框体２０ａの内周側を区画部材３３にて区画した一部の領域をガラス板３２にて覆う例について説明したが、区画部材３３の配置は、これに限るものではない。たとえば、区画部材３３を、上下の横框の一方または左右の縦框の一方と隣接させて閉塞面材２５に固定し、付加面材とともにユニット化された保持部材３４を、上下の横框の他方または左右の縦框の他方と隣接させ、隣接された横框または縦框にビス止めしても良い。この場合には、框体２０ａの内周側の領域を１つの領域として区画し、框体２０ａの内周側の領域を、１枚の付加面材を有する面材付加ユニット３０にて覆うことが可能である。
【００４３】
また、上記実施形態においては、面材付加ユニット３０を１つ用いた例について説明したが、面材付加ユニット３０を複数用いてもよい。例えば、２つの面材付加ユニット３０を用い、まず、各区画部材３３をいずれも左右の縦框２３、２４間に並べて配置し、２つの区画部材３３のうちの左側に配置された区画部材３３の収容部３３ｈが左の縦框２３側に向き、右側に配置された区画部材３３の収容部３３ｈが右側の縦框２４側に向くように配置して閉塞面材２５に固定する。そして、ユニット化した保持部材３４とガラス板３２とを、ガラス板３２の、保持部材３４と反対側の縁部３２ａを区画部材３３の収容部３３ｈにそれぞれ挿入して２つの保持部材３４を左右の縦框２３、２４にそれぞれ固定する。このように、２つの面材付加ユニット３０を用いた場合には、框体２０ａの内周側の領域を３つに区画し、左右方向の両側に位置する２つの領域をガラス板３２で覆うことが可能である。このとき、２つの面材付加ユニット３０の区画部材３３を当接させて配置すると、框体２０ａの内周側の領域が２つに区画され、区画された２つの領域をそれぞれガラス板３２で覆うことも可能である。また、ここでは、２つの面材付加ユニット３０を用いて、框体２０ａの内周側の領域を左右方向に分割して区画する例について説明したが、２つの区画部材３３を上下の横框２１、２２間に並べて配置して框体２０ａの内周側の領域を上下方向に分割して区画してもよい。さらに、２つの面材付加ユニット３０にて、框体２０ａの内周側の領域を上下または左右に３つの領域に区画して、両端の領域をガラス板３２で覆い、中央の領域を新たな２つの面材付加ユニット３０を用いて、既に区画された方向と異なる方向に３つの領域に分割して区画してもよい。
【００４４】
また、上記実施形態においては、付加面材をガラス板３２としたがこれに限るものではない。例えば、内装材や樹脂パネル、金属パネル等を用いても良い。また、樹脂パネルのような弾性変形可能な付加面材を用いる場合には、図５に示すように、樹脂製の付加面材４０を撓ませて付加面材４０の右側の縁部４０ａを収容部３３ｈに容易に収容させ、撓みを戻すことにより保持部材３４を左の縦框２３と容易に隣接させることが可能である。このため、収容部３３ｈには空隙などの特段の加工を施すことなく、容易に樹脂製の付加面材４０を取り付けることが可能な面材付加ユニット３０を提供することが可能である。
【００４５】
また、上記実施形態においては、区画部材３３を閉塞面材２５に接着した例について説明したが、区画部材３３の閉塞面材２５への固定方法は、接着に限るものではない。また、区画部材３３は上框２１及び下框２２に固定されていてもよい。
【００４６】
上記実施形態においては、障子を浴室ドアとしたが、これに限るものではなく、例えば居室間を仕切るドアや収納スペースを閉塞する扉などであっても構わない。また、上記実施形態においては、開き戸用の建具を例に挙げて説明したが、折戸、引戸、引き違い窓用建具、片引き窓用建具、内倒し窓用建具、外倒し窓用建具、辷り出し窓用建具、ＦＩＸ窓用建具などであっても構わない。
【符号の説明】
【００４７】
１  建具、１０  枠体、２０  障子、２０ａ  框体、２１  上框、２２  下框、
２３  左の縦框、２４  右の縦框、２５  閉塞面材、
３０  面材付加ユニット、３２  ガラス板、３２ａ  所定の縁部、３２ｂ  他の縁部、
３３  区画部材、３３ｈ  収容部、３３ｉ  空隙、３４  保持部材、
４０  樹脂製の付加面材、４０ａ  右側の縁部、５０  ビス
【図１】
0005562824.tif 000002
【図２】
0005562824.tif 000003
【図３】
0005562824.tif 000004
【図４】
0005562824.tif 000005
【図５】
0005562824.tif 000006